(57)【要約】【課題】  駆動部を備えた電子装置に過大な振動が付加されても駆動部の安定動作が可能で駆動部や搭載部品の損傷を防止することができる【解決手段】  略筒状のインシュレータ（５）を押さえる押さえ具（９）に、このインシュレータ（５）と当接する当接面とこの当接面から突出する突出部（１１）とを設け、インシュレータ（５）の側面部で駆動機構部（１）を支持し、インシュレータ（５）の一端面を筐体（６）に当接させ、インシュレータ（５）の他端面を押さえ具（９）の当接面に当接させ、駆動機構部（１）と他端面との距離よりも駆動機構部（１）と突出部（１１）との距離を短くした。【選択図】      図１
2005155816.tif 000002
【特許請求の範囲】
【請求項１】
筐体と、
該筐体内に配置される駆動機構部と、
前記駆動機構部を支持する略筒状のインシュレータと、
該インシュレータを前記筐体との間に挟持する押さえ具とを備え、
前記駆動機構部が前記インシュレータを介して前記筐体と連結されて成る電子機器において、
前記押さえ具に、前記インシュレータと当接する当接面と該当接面から突出する突出部とを設け、
前記インシュレータの側面部で前記駆動機構部を支持し、
前記インシュレータの一端面を前記筐体に当接させ、
前記インシュレータの他端面を前記押さえ具の前記当接面に当接させ、
前記駆動機構部と前記他端面との距離よりも前記駆動機構部と前記突出部との距離を短くして成ることを特徴とする電子機器。
【請求項２】
筐体と、
該筐体内に配置される駆動機構部と、
前記駆動機構部を支持する略筒状のインシュレータと、
該インシュレータを前記筐体との間に挟持する押さえ具とを備え、
前記駆動機構部が前記インシュレータを介して前記筐体と連結されて成る電子機器において、
前記筐体に、前記インシュレータと当接する当接面と該当接面から突出する突出部とを設け、
前記インシュレータの側面部で前記駆動機構部を支持し、
前記インシュレータの一端面を前記筐体の前記当接面に当接させ、
前記インシュレータの他端面を前記押さえ具に当接させ、
前記駆動機構部と前記一端面との距離よりも前記駆動機構部と前記突出部との距離を短くして成ることを特徴とする電子機器。
【発明の詳細な説明】
【技術分野】
【０００１】
本発明は、筐体とこの筐体内部に具備される駆動機構部とをインシュレータを介して連結して成る電子機器に関する。
【背景技術】
【０００２】
ヘッドや光ピックアップ等とこれを駆動する駆動機構部とを備え、この駆動機構部を防振あるいは制振性を有するインシュレータを介して筐体と連結した電子機器が種々知られており、その一例として光ディスク装置がある。
このインシュレータの材料としては、ゴム等の弾性体が用いられている。
そして、外部振動が筐体から駆動機構部に伝達する際に、振動がこのインシュレータで吸収抑制されるので、駆動機構部を常に安定して動作させることができる。
このような電子装置の一例として特許文献１に記載されたものがある。
【０００３】
この電子装置は光ディスク装置であり、これに用いられるインシュレータは、略Ｈ状の断面体を中心軸回りに回転したドーナツ状であって、その両端部側において、外周円筒部に対して内周円筒部が突出するように形成されて成るものである。材質は防振ゴムである。
そして、このインシュレータを用いると、両端部に支持したトレイカバーとトレイボックスからの振動が中央部で支持したピックアップ板金シャーシに伝達されにくいので、ピックアップの動作が安定するとされている。
また、衝撃等が光ディスク装置に加わってピックアップが大きく上下動しても、インシュレータの外周円筒部がトレイカバー等に当接して過大な振動となるのを抑制するとされている。
【特許文献１】特開平９−３２９１８８号公報
【発明の開示】
【発明が解決しようとする課題】
【０００４】
しかしながら、このインシュレータの材料として、特に振動吸収特性に優れた防振ゴムを用いているので極めて軟らかいものになっている。
従って、強い衝撃が光ディスク装置に付加された場合に生じる、駆動部の過大な振動を完全に抑制することができないという問題があった。
また、材質が軟らかい弾性体であることから、許容する最大振幅を設定することが難しく、最大振幅として十分に大きな間隙を設けて周辺部材を配置しなければならず、光ディスク装置の小型化が困難であるという問題があった。
【０００５】
光ディスク装置におけるこれらの問題は、駆動部であるトラバースメカの周囲部材への衝突という現象をもたらす。
そのため、トラバースベースが変形したり、調整した光ピックの位置がずれが生じて光ディスク装置としての性能が発揮されないという問題が生じるものであった。
【０００６】
そこで、本発明の目的は、過大な振動が付加されても駆動部の安定動作が可能で駆動部や搭載部品の損傷を防止することができる電子装置を提供することにある。
【課題を解決するための手段】
【０００７】
上記の課題を解決するために、本願発明は手段として次の構成を有する。
即ち、請求項１に係る発明は、筐体（６）と、該筐体（６）内に配置される駆動機構部（１）と、前記駆動機構部（１）を支持する略筒状のインシュレータ（５）と、該インシュレータ（５）を前記筐体（６）との間に挟持する押さえ具（９）とを備え、前記駆動機構部（１）が前記インシュレータ（５）を介して前記筐体（６）と連結されて成る電子機器において、
前記押さえ具（９）に、前記インシュレータ（５）と当接する当接面（９ｂ）と該当接面（９ｂ）から突出する突出部（１１）とを設け、前記インシュレータ（５）の側面部で前記駆動機構部（１）を支持し、前記インシュレータ（５）の一端面を前記筐体（６）に当接させ、前記インシュレータ（５）の他端面を前記押さえ具（９）の前記当接面（９ｂ）に当接させ、前記駆動機構部（１）と前記他端面との距離よりも前記駆動機構部（１）と前記突出部（１１）との距離を短くして成ることを特徴とする電子機器（１００）である。
また、請求項２に係る発明は、筐体（６）と、該筐（６）体内に配置される駆動機構部（１）と、前記駆動機構部（１）を支持する略筒状のインシュレータ（５）と、該インシュレータ（５）を前記筐体（６）との間に挟持する押さえ具（９）とを備え、前記駆動機構部（１）が前記インシュレータ（５）を介して前記筐体（６）と連結されて成る電子機器において、
前記筐体（６）に、前記インシュレータ（５）と当接する当接面と該当接面から突出する突出部（２１）とを設け、前記インシュレータ（５）の側面部で前記駆動機構部（１）を支持し、前記インシュレータ（５）の一端面を前記筐体（６）の前記当接面に当接させ、前記インシュレータ（５）の他端面を前記押さえ具（９）に当接させ、前記駆動機構部（１）と前記一端面との距離よりも前記駆動機構部（１）と前記突出部（２１）との距離を短くして成ることを特徴とする電子機器（１００）である。
【発明の効果】
【０００８】
本発明によれば、駆動部の安定動作が可能で搭載部品の損傷を防止できるという効果を奏する。
【発明を実施するための最良の形態】
【０００９】
本発明の実施の形態を、好ましい実施例により図１〜図１１を用いて説明する。
図１は、本発明の電子機器の実施例を説明する分解図であり、
図２は、本発明の電子機器の実施例における第１要部を説明する斜視図であり、
図３は、本発明の電子機器の実施例における第２要部を説明する斜視図であり、
図４は、本発明の電子機器の実施例を説明する第１の断面図であり、
図５は、本発明の電子機器の実施例を示す外観斜視図であり、
図６は、本発明の電子機器の実施例を説明する第１の斜視図であり、
図７は、本発明の電子機器の実施例を説明する第２の斜視図であり、
図８は、本発明の電子機器の実施例を説明する第２の断面図であり、
図９は、本発明の電子機器の実施例における第２要部の他の形態例を説明する斜視図であり、
図１０は、本発明の電子機器の実施例における第２要部の他の形態例を説明する側面図であり、
図１１は、本発明の電子機器の他の実施例を説明する斜視図である。
【００１０】
実施例の電子機器は光ディスク装置であり、以下に詳述する。
図１は、実施例の光ディスク装置１００の筐体６と、これに搭載されるトラバースメカ１とを示す分解図である。
この光ディスク装置１００のスピンドルモータ２，ディスククランプ（図示せず），フィード機構３及び光ピックアップ１３は公知のものを使用している。
このトラバースメカ１は、インシュレータ５を介して一面を開口した略箱状の筐体６に取り付けられている。
【００１１】
このインシュレータ５の外観斜視図を図２に示す。
インシュレータは防振ゴムで貫通孔８を備えた略円筒状に形成されている。この円筒の側面における軸方向のほぼ中央には、他の部分より小径の小径部２０が形成されている。各稜線には面取りが形成されている。
【００１２】
トラバースメカ１の基体である矩形形状のベース１６の四隅近傍には、孔４が設けられている。この孔４には、ベース１６の外縁に開口するスリット４ａが形成されている。
この孔４の直径は、インシュレータ５の小径部２０とほぼ同径に設定され、インシュレータ５は、つぶされてスリット４ａを通過した後、この孔４に小径部２０が嵌合して装着される。この小径部２０を設ける軸方向の位置は限定されないが、筒状のインシュレータの軸方向においてほぼ中央にあるのが両方向の弾力性が等しく得られて最も好ましい。一方の弾力性をより発揮させる場合には、もちろん偏った位置に設けてもよい。
筐体６は、その底面に立設固定された、雌ねじ７ａを有するスタッド７を有している。このスタッド７をインシュレータ５の貫通孔８に挿入するようにしてトラバースメカ１は筐体６内に収納される。インシュレータ５の端面がスタッド７に設けた段部７ｂに当接する。
その後、ワッシャ９をインシュレータ５の一方の端面に当接させ、筐体６との間にインシュレータ５を挟みこみ、ねじ１０を雌ねじ７ａに締結することにより、トラバースメカ１はインシュレータ５を介して筐体６に支持される。
尚、筐体６には、トラバースメカ１の他にトレイ駆動部等が収納されているが、当図では省略してある。
【００１３】
次に、図３（ａ）〜（ｃ）を用いて、ワッシャ９の形状を詳述する。
一般にねじ締結で用いられるワッシャ（座金）は平板状であるが、本実施例のワッシャ９は、インシュレータ５と当接する平面部と、一部が一方向に折り曲げられた突出部１１とを有して成るものである。
また、中央にはスタッド７を挿通可能な貫通孔９ａが形成されている
【００１４】
図３（ａ）に示す例は、突出部１１を、ワッシャ９の周囲を略等分した２箇所において折り曲げ、長さＬ１で突出させたものである。
このワッシャ９に用いる材質としては、高剛性の金属材が好ましい。例としてＳＵＳ材を用いることができる。
この突出部１１の形状はこの例に限定されるものではなく、図３（ｂ）に示すように４箇所に設けてもよい。
また、図３（ｃ）に示すように環状形状として形成してもよい。
【００１５】
トラバースメカ１を筐体６に取り付ける際、前記突起部１１の先端とトラバースメカ１のベース１６との間隔が所定の間隔となるようにねじ１０で締結する。
この所定の間隔は、ワッシャ９における突出部１１の長さＬ１によっても設定することができる。
また、間隔は、当実施例では１ｍｍとしてあるが、この量は、ベース１６に対して許容する最大振幅に応じて設定する間隔である。
【００１６】
次に、上述のようにしてトラバースメカ１を組み込んだ筐体６（電子機器）が搬送等で落下してしまった場合を、図４を用いて説明する。
トラバースメカ１が上下逆になる方向に落下する、所謂天面落下の場合、トラバースメカ１は筐体６に対して当図の矢印Ａ方向に移動する。
落下により筐体６が床面に衝突したとき、トラバースメカ１はその慣性によりインシュレータ５を圧縮方向に付勢してこれを変形させる。
【００１７】
例えば、ワッシャ９の突出部１１が無いとして考えた場合、この変形量が大きすぎると、トラバースメカ１の一部が、これに隣接するディスクトレイ等のプラスチック部品に衝突し、プラスチック部品を損傷させるばかりか、精度良く寸法を調整した部分、例えば光学ピックアップの傾きなどがずれてしまうことがある。
図４においては、ステッピングモータ１４の一部とトレイ１２が接近しており、トラバースメカ１が矢印Ａ方向に移動すると、ステッピングモータ１４のロータ１５がトレイ１２に激突し、トレイ１２を破損させる可能性がある。
【００１８】
しかし、当実施例では、上述した突出部１１を有するワッシャ９を用いて、インシュレータ５のワッシャー９側の端面とトラバースメカ１との間の距離よりも、突出部１１とトラバースメカ１との間の距離が短くなっている。
そのため、トラバースメカ１が上下動した際に、この突出部１１とトラバースメカ１のベース１６が当接してインシュレータ５変形を規制し、トラバースメカ１の矢印Ａ方向への移動量を所定量以下に抑えることができる。
従って、部品を損傷させたり、光学ピックアップの傾きがずれる等の問題は生じない。
突出部１１は容易に変形しないので、ベース１６と過大な力で衝突してもこのトラバースメカ１の規制された移動量が変わることはない。
【００１９】
一方、この突起部１１は、筐体６（電子機器）の所謂側面落下においても効果を発揮する。
図４において、この側面落下の場合、トラバースメカ１は他の部品に対し、相対的に矢印Ｂ方向に移動する。この方向は、紙面に垂直な方向についても同様であるが、理解容易のため、矢印Ｂ方向の移動について説明する
【００２０】
光ディスク装置においては、例えば、光ピックアップ１３とトレイ１２との間隙Ｓのように、間隙が極めて小さい部分がある（図５参照）。
トレイ１２には光ピックアップ１３が移動するための開口部１９が設けられている。開口部１９は、これを大きくするとトレイ１２の強度が下がるために最小限の大きさとするのが通常である。
その場合、光ピックアップ１３とトレイ１２の隙間Ｓを可能な限り狭くしなければならず、２ｍｍ程度とするのが一般的である。
そのため、側面落下によるトラバースメカ１の矢印Ｂ方向への移動距離が大きい場合、光ピックアップ１３とトレイ１２とが衝突し、光ピックアップ１３が破損してしまう場合がある。
【００２１】
しかし、側面落下時のインシュレータ５の横方向最大変形量をＥとするならば、インシュレータ５の外形と、ワッシャ９の突出部１１の内側面との隙間Ｌ（図４参照）を、Ｓ＞Ｌ＋Ｅとなるように設定することで、トラバースメカ１の移動量が精度よく規制され、光ピックアップ１３とトレイ１２とが衝突するのを防止することができる。
【００２２】
また、インシュレータ５の横方向の移動規制を、ワッシャ９の突出部１１のみではなく、筐体６のスタッド７に設けた突起２１（図６参照）で行えば、突出部１１とスタッド７の突起２１の双方による規制作用により、より確実に上述の衝突を防ぐことができる。
この突起２１を設けた場合の、トラバースメカ１と筐体６とをアセンブリした状態の斜視図を図７に示す。また、部分断面図を図８に示す。
【００２３】
図８において、トラバースメカ１がＢ方向に移動した場合、トラバースメカ１に引っ張られるようにインシュレータ５もＢ方向に移動する。
しかし、ワッシャ９の突出部１１とスタッド７の突起２１との双方がインシュレータ５の移動を規制し、確実にトラバースメカ１の移動量を抑えることができる。
また、トラバースメカ１の移動の規制をインシュレータ５を介して行うために、トラバースメカ１に加わる衝撃を最小限にすることができる。
落下の方向は、図７に示した矢印Ｃ方向、つまり、筐体６の奥行き方向でも同様の効果を発揮することができる。
【００２４】
さらに、図９に示すように、インシュレータ５の小径部２０の両側に、外側方向に環状に突出するフランジ部１７を形成し、図１０に示すように、ワッシャ９の突出部１１がインシュレータ５のフランジ部１７と当接するようにしてもよい。
この場合、トラバースメカ１のベース１６と突出部１１とが直接衝突することがないのでトラバースメカ１に加わる衝撃が緩和される。
従って、トラバースメカ１に搭載された部品が破損したり異常になることがなく、信頼性が極めて向上する。図１０は筐体６（スタッド７）を省略している。
【００２５】
実施例のインシュレータ５は、トラバースメカ１と筐体６の連結部にのみに使用されるばかりでなく、筐体６とこれをさらに収納するセットのケース１８との間にも使用することができるのは言うまでもない。この場合、筐体６が駆動部に相当し、ケース１８が筐体に相当するものとしてみることができる。
【００２６】
図１１にその例を示す。
筐体６の外側には２つずつ一対でブラケット２２が取付けられている。
このブラケット２２には孔が設けられており、この孔にインシュレータ５の小径部２０が嵌合して取り付けられるようになっている。
さらにワッシャ９とネジ１０によりケース１８と筐体６とが連結されている。
通常、筐体６の近傍には、わずかな隙間を介して基板２３を配置することが多い。そのため、落下時に筐体６とと基板２３とが衝突し、脆い基板２３が割れる場合がある。
しかしながら、本実施例では、筐体６の移動量を最小（所定量）に抑えることができるため、基板２３に不具合が生じることはない。
もちろん、筐体６側に取付けた、インシュレータ５の移動量を規制する突起をセットのケース１８に取付けてもその効果が発揮され、さらには、ワッシャ９の突出部１１と併用することで更なる効果が発揮される。
【００２７】
本発明の実施例は、上述した構成及び手順に限定されるものではなく、本発明の要旨を逸脱しない範囲において変形例としてもよいのは言うまでもない。
インシュレータ５は円筒状に限らず略筒状であればよい。
【図面の簡単な説明】
【００２８】
【図１】本発明の電子機器の実施例を説明する分解図である。
【図２】本発明の電子機器の実施例における第１要部を説明する斜視図である。
【図３】本発明の電子機器の実施例における第２要部を説明する斜視図である。
【図４】本発明の電子機器の実施例を説明する第１の断面図である。
【図５】本発明の電子機器の実施例を示す外観斜視図である。
【図６】本発明の電子機器の実施例を説明する第１の斜視図である。
【図７】本発明の電子機器の実施例を説明する第２の斜視図である。
【図８】本発明の電子機器の実施例を説明する第２の断面図である。
【図９】本発明の電子機器の実施例における第２要部の他の形態例を説明する斜視図である。
【図１０】本発明の電子機器の実施例における第２要部の他の形態例を説明する側面図である。
【図１１】本発明の電子機器の他の実施例を説明する斜視図である。
【符号の説明】
【００２９】
１  トラバースメカ
２  スピンドルモータ
３  フィード機構
４  孔
５  インシュレータ
６  筐体
７  スタッド
７ａ  雌ねじ
７ｂ  段部
９  ワッシャ
９ａ  貫通孔
９ｂ  平面部（当接面）
１０  ねじ（雄ねじ）
１１  突出部
１２  トレイ
１３  光ピックアップ
１４  ステッピングモータ
１５  ロータ
１６  ベース
１８  ケース
１９  開口部
２０  小径部
２１  突起
１００  光ディスク装置（電子機器）
Ｌ１  （突出部）長さ
【図１】
2005155816.tif 000003
【図２】
2005155816.tif 000004
【図３】
2005155816.tif 000005
【図４】
2005155816.tif 000006
【図５】
2005155816.tif 000007
【図６】
2005155816.tif 000008
【図７】
2005155816.tif 000009
【図８】
2005155816.tif 000010
【図９】
2005155816.tif 000011
【図１０】
2005155816.tif 000012
【図１１】
2005155816.tif 000013